(57)【要約】【課題】ランドセルを背負った場合にランドセルが重く感ずるようなことがなく、良好な使用感が得られるようにした背負いバンドの取付具を提供する。【解決手段】一対のアーム部材１２とこれらに取着される背負いバンド５の連結環２３とを有し、各アーム部材１２に上下２段に重なる軸挿通孔１３ａ，１３ｂが貫設され、各連結環２３は金属製であって略門型に成形され、各連結環２３の一方の側杆部２３ａに両軸挿通孔１３ａ，１３ｂの少なくとも一方に嵌入する第一軸杆部２４ａを有し、各連結環２３の他方の側杆部２３ｂに両軸挿通孔１３ａ，１３ｂの少なくとも他方に嵌入する第二軸杆部２５ａを有し、第一軸杆部２４ａを一方の軸挿通孔１３ａに挿通すると共に第二軸杆部２５ａを他方の軸挿通孔１３ｂに挿通することにより、各連結環２３が各アーム部材１２から上方へ起立した状態で保持される。【選択図】図２
2006158654.tif 000002
【特許請求の範囲】
【請求項１】
ランドセルの背当て部前面の上部に装着され、一対のアーム部材と該各アーム部材に取着される背負いバンドの連結環とを有する背負いバンドの取付具であって、
前記各アーム部材に上下２段に重なる軸挿通孔が貫設され、前記各連結環は金属製であって略門型に成形され、前記各連結環の一方の側杆部に、前記両軸挿通孔の少なくとも一方にその一側から嵌入する第一軸杆部を有し、前記各連結環の他方の側杆部に、前記両軸挿通孔の少なくとも他方にその他側から嵌入する第二軸杆部を有し、前記第一軸杆部を前記一方の軸挿通孔に挿通すると共に前記第二軸杆部を前記他方の軸挿通孔に挿通することにより、前記各連結環が前記各アーム部材から上方へ起立した状態で保持されることを特徴とする背負いバンドの取付具。
【請求項２】
ランドセルの背当て部前面の上部に装着され、一対のアーム部材と該各アーム部材に取着される背負いバンドの連結環とを有する背負いバンドの取付具であって、
前記各アーム部材に上下２段に重なる軸挿通孔が貫設され、前記各連結環は金属製であって略門型に成形され、前記各連結環の一方の側杆部に、前記両軸挿通孔のいずれにもその一側から嵌入する一対の第一軸杆部を設け、前記各連結環の他方の側杆部に、前記両軸挿通孔のいずれにもその他側から嵌入する一対の第二軸杆部を設け、前記一対の第一軸杆部を前記両軸挿通孔に挿通すると共に前記一対の第二軸杆部を前記両軸挿通孔に挿通することにより、前記各連結環が前記各アーム部材から上方へ起立した状態で保持されることを特徴とする背負いバンドの取付具。
【請求項３】
ランドセルの背当て部前面の上部に装着され、一対のアーム部材と該各アーム部材に取着される背負いバンドの連結環とを有する背負いバンドの取付具であって、
前記各アーム部材に上下２段に重なる軸挿通孔が貫設され、前記各連結環は金属製であって略門型に成形され、前記各連結環の一方の側杆部に、前記上段の軸挿通孔にその一側から嵌入する第一軸杆部を設け、前記各連結環の他方の側杆部に、前記下段の軸挿通孔にその他側から嵌入する第二軸杆部を設け、前記第一軸杆部を前記上段の軸挿通孔に挿通すると共に前記第二軸杆部を前記下段の軸挿通孔に挿通することにより、前記各連結環が前記各アーム部材から上方へ起立した状態で保持されることを特徴とする背負いバンドの取付具。
【請求項４】
前記連結環の上杆部に上方へ突出する突部が設けられ、また、前記上杆部に前記突部を含め該上杆部の前後面に重合されかつ前記背負いバンドの連結部を止めるリベットにより該背負いバンドと一体に固定される第一補強部材を取着した請求項１乃至３のうちいずれか一に記載の背負いバンドの取付具。
【請求項５】
前記連結環の上杆部に上方へ突出する突部が設けられ、また、前記背負いバンドにその連結部の表面に重合されかつ前記背負いバンドを止めるリベットにより該背負いバンドと一体に固定される第二補強部材を取着した請求項１乃至３のうちいずれか一に記載の背負いバンドの取付具。
【発明の詳細な説明】
【技術分野】
【０００１】
本発明は、ランドセルの背当て部前面の上部に取り付けられ一対の背負いバンドが取着される取付具に関するものである。
【背景技術】
【０００２】
従来のランドセルは、その背当て部前面の上部に背負いバンドの取付具が装着され、該取付具に左右一対の背負いバンドの各上端部が取着されている。詳しくは、取付具本体に上方へ突出する一対のアーム部材が設けられ、該各アーム部材の上端部に略三角形状の連結環が前後方向へ自在に回動するようにして軸着される。そして、各連結環に各背負いバンドの上端部が巻着されて回動自在に取着されている（例えば、特許文献１参照。）。
【特許文献１】特開２００２−２９１５１１号公報（第４−５頁、図１、図２）
【発明の開示】
【発明が解決しようとする課題】
【０００３】
しかしながら、前記特許文献１に係るランドセルは、各連結環が各アーム部材の上端部に前後方向へ回動自在に取着されかつ各背負いバンドの先端部も各連結環に回動自在に連結されており、各背負いバンドの上端部が回動して動き易い構造になっている。よって、このランドセルを背負った場合、前記両連結環が各アーム部材の上端部を中心として前側、すなわち背中側、へ回動し、ランドセルが背中から離れて後方へ傾く傾向にある。このような状態では、使用中にランドセルの重心が背中から離れると共に両背負いバンドも次第に肩からずれてランドセルが下がってしまい、ランドセルが重く感じられて疲れるばかりか背負い難いという課題があった。
【０００４】
そこで、本発明は上記課題を解決すべくなされたもので、ランドセルを背負った場合に背負いバンドが斜め上方へ引っ張られて、背当て部が背中に密着した状態に保たれ、ランドセルが重く感ずるようなことがなくて疲れも少なく、良好な使用感が得られるようにした背負いバンドの取付具を提供することを目的とするものである。
【課題を解決するための手段】
【０００５】
かかる目的を達成するため、本発明に係る背負いバンドの取付具は、ランドセルの背当て部前面の上部に装着され、一対のアーム部材と該各アーム部材に取着される背負いバンドの連結環とを有する背負いバンドの取付具であって、前記各アーム部材に上下２段に重なる軸挿通孔が貫設され、前記各連結環は金属製であって略門型に成形され、各連結環の一方の側杆部に、前記両軸挿通孔の少なくとも一方にその一側から嵌入する第一軸杆部を有し、各連結環の他方の側杆部に、前記両軸挿通孔の少なくとも他方にその他側から嵌入する第二軸杆部を有し、第一軸杆部を一方の軸挿通孔に挿通すると共に第二軸杆部を他方の軸挿通孔に挿通することにより、各連結環が各アーム部材から上方へ起立した状態で保持される構成とした。
【０００６】
本発明では、例えば、前記一方の側杆部に、上下２段に重なる両軸挿通孔のいずれにもその一側から嵌入する一対の第一軸杆部を設け、他方の側杆部に、前記両軸挿通孔のいずれにもその他側から嵌入する一対の第二軸杆部を設けた構成が採られる。
【０００７】
また、本発明は、前記一方の側杆部に、上段の軸挿通孔にその一側から嵌入する第一軸杆部を設け、他方の軸杆部に、下段の軸挿通孔にその他側から嵌入する第二軸杆部を設けた構成を採るようにしても良い。
【０００８】
この際、前記連結環の上杆部に上方へ突出する突部が設けられ、また、前記上杆部に前記突部を含め該上杆部の前後面に重合されかつ前記背負いバンドの連結部を止めるリベットにより該背負いバンドと一体に固定される第一補強部材を取着した構成とすることが好ましい。
【０００９】
または。前記連結環の上杆部に上方へ突出する突部が設けられ、また、前記背負いバンドにその連結部の表面に重合されかつ前記背負いバンドを止めるリベットにより該背負いバンドと一体に固定される第二補強部材を取着した構成とすることが好ましい。
【発明の効果】
【００１０】
本発明の背負いバンドの取付具は、略門型の各連結環が各アーム部材の上端部に上方へ起立した状態で保持されるので、ランドセルを背負った場合、ランドセルが斜め上方に引っ張られた状態になり、ランドセルの重心が背中から離れることがない。これにより、背当て部が背中に密着した状態に保たれ重く感ずることがなくて疲れも少なく、良好な使用感が得られるという効果が有る。
【００１１】
また、連結環の上杆部に上方へ突出する突部が設けられ、また、前記背負いバンドにその連結部の表裏面に重合されかつ前記背負いバンドを止めるリベットにより該背負いバンドと一体に固定される第二補強部材を取着するようにすれば、各背負いバンドの連結部が各アーム部材から上方へ起立することになって、ランドセルを背負ったとき背負いバンドが更に強く張った状態になり、該ランドセルの背当て部が学童の背中に強く密着した状態に保たれ、良好な使用感がより一層高められる。
【００１２】
また、連結環の上杆部に上方へ突出する突部が設けられ、また、前記背負いバンドにその連結部の表裏面に重合されかつ前記背負いバンドを止めるリベットにより該背負いバンドと一体に固定される第二補強部材を取着するようにしても、各背負いバンドの連結部が各アーム部材から上方へ起立することになって、前記と同様な効果が得られる。
【発明を実施するための最良の形態】
【００１３】
以下、本発明に係る背負いバンドの取付具の実施の形態を図面を参照して詳しく説明する。図１は本発明が適用されるランドセルの斜視図、図２はランドセルの要部の分解斜視図、図３は連結環の取付方法を示す取付具の一部の正面断面図、図４（イ）は取付具の正面断面図、図４（ロ）は同作用を示す正面断面図をそれぞれ示す。
【００１４】
ランドセルＲは、学童が背負ったとき学童の背中に接する背当て部１と該背当て部１後側の上縁を残した周縁を囲う襠部２及び該襠部２の後側開放面を覆う前板部３とにより上面が開放した箱状に成形される。また、前記背当て部１の上端縁には前記開放上面及び前板部３の後面を覆うカバー部４が連接されている。カバー部４の下端縁に鍵金具（図示せず。）が取着され、該鍵金具を襠部２の底面に装着された錠金具（図示せず。）に自在に係脱して施錠又は開錠できるようになっている。
【００１５】
前記背当て部１の前面の中央上部に本発明に係る背負いバンドの取付具Ａが装着され、該取付具ＡにランドセルＲを背負うとき腕を通して肩にかける一対の背負いバンド５，５が取着される。背当て部１は、背中に当った場合のクッション性と安定性を持たせるためにクッション材（図示せず。）が内装され、その前側に合成皮革又は皮革製の表皮材６が貼着される。また、カバー部４も合成皮革又は皮革により成形され、前記背当て部１の上端部に一部重なるように重合しかつ縫着することにより一体に連設される。そして、その重合部の中央部に取付具Ａが位置し、その前側には前記取付具Ａの前面を覆うようにして合成皮革又は皮革製の当生地７が上端縁を残し周縁を縫着して覆着される。
【００１６】
次に、取付具Ａについて説明する。取付具Ａは、合成樹脂材により横長扁平状に成形した取付具本体８を備えてなる。該取付具本体８は、図２乃至図５に示すように前半枠体９ａと後半枠体９ｂとからなり、上面が開口１０すると共に内部に空洞部１１が成形される。空洞部１１内には、その左右両側にそれぞれ上端側が前記開口１０から上方へ突出するようにして合成樹脂材からなる一対のアーム部材１２，１２が左右対称となるように配置される。
【００１７】
各アーム部材１２は、それら上端部にそれぞれ左右方向へ伸びる上下２段の軸挿通孔１３ａ，１３ｂが重なるようにして貫設されている。また、各軸挿通孔１３ａ，１３ｂには補強のための金属管１４が嵌合されている。一方、各アーム部材１２の下端部に、前記後半枠体９ｂの内面に突設した筒軸部１５に嵌着する軸孔１６が貫設されている。これにより、図４（ロ）に示すように両アーム部材１２，１２はそれぞれ前記筒軸部１５，１５を中心として左右に揺動自在に軸着される。
【００１８】
また、各アーム部材１２と取付具本体８の内側壁との間にそれぞれ捩りバネ１７が配置される。各捩りバネ１７は、その一端が取付具本体８の内側壁から内側へ突出する支持片１８の係止孔１９に挿通され、他端がアーム部材１２の側面に当接し、常に各アーム部材１２をその上部側がそれぞれ中央部側へ寄るように付勢している。後半枠体９ｂの内面に一対の停止突片２０，２０が突設され、該各停止突片２０により各アーム部材１２の内側への揺動範囲が規制されるようになっている。前記空洞部１１の中央部には、ランドセルＲを使用しないとき壁などに掛けるための吊下げ環２１が配置される。この吊下げ環２１は上端部が開口１０から上方へ突出され、下端部を後半枠体９ｂ内面の突起２２に嵌着させている。
【００１９】
前記各アーム部材１２の上端部の軸挿通孔１３ａ，１３ｂにそれぞれ背負いバンド５を取着するための金属性の連結環２３が取着される。各連結環２３は、所定の厚さ、例えば厚さ３ｍｍの鋼板を打ち抜いて上側部が外側へ向かって下傾する略門型に成形される。すなわち、両側杆部２３ａ，２３ｂが、前記軸挿通孔１３ａ，１３ｂの長さ寸法より少し広い間隔を離して平行に配置される。そして、外側に位置する一方の側杆部２３ａに、前記両軸挿通孔１３ａ，１３ｂのいずれにもその一側（外側）から嵌入する上下一対の第一軸杆部２４ａ，２４ｂが設けられる。また、内側に位置する他方の側杆部２３ｂに、前記両軸挿通孔１３ａ，１３ｂのいずれにもその他側（内側）から嵌入する上下一対の第二軸杆部２５ａ，２５ｂが設けられている。
【００２０】
各連結環２３の上杆部２３ｃには、その上面中央に上方へ少し突出する突部２６が設けられる。前記各上杆部２３ｃに、金属性の帯板から成形される第一補強部材３４が取着される。この第一補強部材３４の両端部に後記するリベット２７が挿通される取付孔３５，３５が開設される。そして、各第一補強部材３４を中央で二つ折りすると共にその中央に各上杆部２３ｃを介在させ、前記突部２６を含め各上杆部２３ｃの前後面に重合圧着させる。これにより、各第一補強部材３４が各上杆部２３ｃに上方へ突出するようにして設けられる。各上杆部２３は横断面が方形状をなしかつ突部２６が突設されている関係上、各第一補強部材３４は各上杆部２３ｃを中心として前後に無用に回動しないようになっている。第一補強部材３４は、例えばブリキ板のような塑性変形ししかも比較的硬い金属材料が選ばれる。
【００２１】
前記各連結環２３は、図２に示すように取着される前、外側の側杆部２３ａが外側へ斜めに広げられ、各アーム部材１２に取着し易くなっている。そして、図３に示すように前記両軸挿通孔１３ａ，１３ｂにその他側（内側）から他方（内側）の側杆部２３ｂの両第二軸杆部２５ａ，２５ｂを嵌入した状態で、一方（外側）の側杆部２３ａを内側へ折り曲げると共に該側杆部２３ａの両第一軸杆部２４ａ，２４ｂを両軸挿通孔１３ａ，１３ｂにそれぞれ嵌入する。このように、各第一・第二軸杆部２４ａ，２４ｂ，２５ａ，２５ｂがそれぞれ上下の軸挿通孔１３ａ，１３ｂに嵌入することにより、各連結杆２３が回動することなくしっかりと固定される。これにより、各連結環２３が各アーム部材１２の上端部に上方へ起立した状態で保持される。
【００２２】
このようにして各アーム部材１２に取着された各連結環２３に、背負いバンド５が取着されることになる。各背負いバンド５は、皮革又は合成皮革からなる表地５ａと発泡樹脂層及び薄い皮革又は合成皮革からなる裏地５ｂとからなり、表地５ａと裏地５ｂとを貼り合わせ両縁を縫着することにより成形される。各背負いバンド５の連結部５ｃにリベット２７が挿通される上下一対の挿通孔５ｄが開設されている。
【００２３】
また、前記各背負いバンド５の先端側の表面に、該各背負いバンド５と同幅で所定の長さを有する第二補強部材３６が重合される。各第二補強部材３６は、剛性に富んだ皮革又は合成皮革により成形され、各背負いバンド５の表面に接着剤により貼着されると共に両端部を一体に縫着される。各第二補強部材３６に前記一対の挿通孔５ｄ，５ｄに対応位置させて一対の取付孔３７，３７が開設されている。更に各第二補強部材３６は、図６に示すように先端縁より遠い位置にある取付孔３７付近からその一側縁を傾斜３６ａさせ、各連結杆２３から離れるにつれ漸次横幅が狭まるように成形されている。
【００２４】
そして、各背負いバンド５の連結部５ｃを各連結環２３にその裏側から挿通し、各上杆部２３ｃに巻回して折り返す。折り返された各連結部５ｃは、更に、その折返した連結部５ｃが広がらないように縫着すると共に各挿通孔５ｄ、各取付孔３５，３７にリベット２７を挿通してカシメる。これにより、各第一補強部材３４と各第二補強部材３６とが各背負いバンド５の連結部５ｃと一体になり、各連結環２３の上杆部２３ｃ取着される。しかも、この状態では、各背負いバンド５の先端側が各連結環２３の上方へ起立してほぼ回動不能に固定される。
【００２５】
前記第一補強部材３４を使用しない場合、各連結環２３の上杆部２３ｃの横断面が方形状をなし、しかも、突部２６を有することから、各背負いバンド５の連結部５ｃを巻回して固定したとき、上杆部５ｃの各角部が連結杆５ｃの巻着部５ｅの内周面に深く食い込む。また、突部２６が連結部５ｃの間に挟着される。これにより、各連結部５ｃが各上杆部２３ｃを中心として無用に回動するようなことはほとんどない。
【００２６】
本発明は、前記第一・第二補強部材３４，３６を採用しなくても所期の目的は達成できるが、前記第一または第二補強部材３４，３６を採用すれば、発明の効果が一層高められる。なお、第一補強部材３４と第二補強部材３６はいずれか一方でも良いし、両方同時に採用しても良い。本発明では両方採用した場合を説明している。
【００２７】
本発明に係る背負いバンドの取付具Ａは上記構成からなり、次に作用について説明する。学童がランドセルＲを背負ったとき、図６に示すように各連結環２３がほぼ上向きに保持されている。すなわち、アーム部材１２の上端部よりも背負いバンド５が取着される連結環２３の上杆部２３ｃの方が上方に位置する。
【００２８】
これにより、背負いバンド５がその高さ分後側すなわちランドセルＲ側へ引かれる。換言すれば、ランドセルＲが学童の背中側へ引かれることになる。よって、ランドセルＲが背中から離れて後方へ傾き難くなり、ランドセルＲの重心が背中から離れ各背負いバンド５のずれと共にランドセルＲが次第に下がるといった事態が回避される。このような状態でランドセルＲを背負った場合、ランドセルＲが斜め上方に引っ張られた状態となり、ランドセルＲの重心が背中から離れ難くなる。これにより、背当て部１が背中に密着した状態に保たれ重く感ずることがなく疲れも少なくなり、良好な使用感が得られる。
【００２９】
また、この際、各連結環２３の上杆部２３ｃに各第一補強部材３４が一体に取着されかつ各背負いバンド５の連結部５ｃの表面に第二補強部材３６が重合されている。よって、各背負いバンド５の連結部５ｃは、各上杆部２３ｃを中心として無用に回動することがないばかりか各上杆部２３ｃから起立した状態になる。すなわち、各連結環２３が上向きに保持されると共に各背負いバンド５もその連結部５ｃが同様に上向きに保持されことになる。
【００３０】
このように、各連結環２３と共に背負いバンド５の連結部５ｃも上向きに保持されると、各連結環２３の直後で背負いベルト５が急に屈曲することがなく図７に示すように強く張った状態になり、ランドセルＲを背負ったとき該ランドセルＲの背当て部１が学童の背中に更に密着した状態に保たれ、良好な使用感がより一層高められる。しかも、この際、各背負いバンド５は、第二補強部材３６がその先端縁より遠い位置にある取付孔３７付近からその一側縁を傾斜３６ａさせ、各連結杆２３から離れるにつれ漸次横幅が狭まるように成形されているので、その方向へ除々に剛性が減衰されこの部位においても背負いベルト５の急に屈曲するのが防止され、肩にフィットし易くなっている。
【００３１】
図８、図９は他の実施の形態に係る取付具を示すもので、図８はランドセルの他の実施の形態に係る要部の分解斜視図、図９は連結環の取付方法を示す他の実施の形態に係る取付具の一部の正面断面図である。なお、この取付具Ａ１は本実施の形態に係る取付具Ａと構成がほとんど同じなので、同一部位は同一番号を付すことにより詳しい説明は割愛する。この取付具Ａ１は、前記取付具Ａと連結環２８の形状が異なる。すなわち、各連結環２８は、前記一方（外側）の側杆部２８ａに、上段の軸挿通孔１３ａにその一側（外側）から嵌入する第一軸杆部２９が一本のみ設けられ、他方（内側）の軸杆部２８ｂに、下段の軸挿通孔１３ｂにその他側（内側）から嵌入する第二軸杆部３０を設けた構成が採られている。
【００３２】
このような構成としても、各連結環２８が各アーム部材１２の上端部に上方へ起立した状態で保持され、本発明と同等な効果が得られる。また、この場合、上下の各軸挿通孔１３ａ，１３ｂに第一・第二軸杆部２９，３０がそれぞれ一本のみしか嵌入されてないので、各アーム部材１２に対し金属製の各連結環２８がその弾性力に抗して前後方向に少し撓むことになる。これは、ランドセルＲを背負った時、両背負いバンド５，５が強く張らないことから、肩を含め身体に無理な力が掛からず、ランドセルＲがより身体にフィットすることになる。また、各連結環２８が撓むことから軸挿通孔１３ａ，１３ｂに加わる力もある程度吸収され、軸挿通孔１３ａ，１３ｂ部位が破損するようなことも少ない。
【００３３】
図示は省略ずるが、前記連結環２８の逆、すなわち、前記一方（外側）の側杆部２８ａに、下段の軸挿通孔１３ｂにその一側（外側）から嵌入する第一軸杆部２９を一本のみ設け、他方（内側）の軸杆部２８ｂに、上段の軸挿通孔１３ａにその他側（内側）から嵌入する第二軸杆部３０を設けた構成を採っても、各連結環２８が各アーム部材１２の上端部に上方へ起立した状態で保持され、本発明と同等な効果が得られる。
【００３４】
図１０乃至図１２も他の実施の形態に係る取付具を示すもので、図１０はランドセルの他の実施の形態に係る要部の分解斜視図、図１１は他の実施の形態に係る取付具の正面断面図、図１２は同梱包方法を説明する取付具を使用したランドセルの側面図である。この実施の形態に係る取付具Ａ２も本実施の形態に係る取付具Ａと構成がほとんど同じなので、同一部位は同一番号を付すことにより詳しい説明は割愛する。この実施の形態に係る取付具Ａ２は、本実施の形態に係る連結環２３が使用されるが、各アーム部材３１には、軸挿通孔３２が一本のみ貫設され、該軸挿通孔３２の下方であってアーム部材３１の前面が阻止部３３となっている。
【００３５】
そして、前記各連結環２３の両側杆部２３ａ，２３ｂに設けられる上下一対の第一軸杆部２４ａ，２４ｂ及び上下の第二軸杆部２５ａ，２５ｂの内、それぞれ上の第一軸杆部２４ａと第二軸杆部２５ａとをそれぞれ軸挿通孔３２にその両側（内・外側）から嵌入させる。これにより、各連結環２３は、軸挿通孔３２に嵌入された上の第一・第二軸杆部２４ａ，２５ａを中心として前後、正確には起立した状態から後側へ自在に回動するようになっている。また、起立した状態では、両側杆部２３ａ，２３ｂの下の第一・第二軸杆部２４ｂ，２５ｂが阻止部３３の前面に当接し、その位置で各連結環２３が、ほぼ上向きに保持される。なお、前記各下の第一軸杆部２４ｂと各下の第二軸杆部２５ｂとには、その間に差し渡されるようにして金属製の保護管３８が嵌着され、これら第一・第二軸杆部２４ｂ，２５ｂの先端で怪我をしないように保護している。
【００３６】
この実施の形態に係る背負いバンドの取付具Ａ２にあっては、学童がランドセルＲを背負った場合、各連結環２３が前方向へ回動して各下の第一・第二軸杆部２４ｂ，２５ｂが各アーム部材３１前面の阻止部３３に当接してその回動動作が阻止される。そして、図７で示したランドセルＲと同じように各連結環２３がほぼ上向きに保持される。すなわち、各アーム部材３１の上端部よりも背負いバンド５が取着される各連結環２３の上杆部２３ｃの方が上方に位置する。
【００３７】
これにより、本実施の形態と同様に背負いバンド５がその高さ分後側すなわちランドセルＲ側へ引かれる。換言すれば、ランドセルＲが学童の背中側へ引かれることになる。よって、ランドセルＲが背中から離れて後方へ傾き難くなり、ランドセルＲの重心が背中から離れ各背負いバンド５のずれと共にランドセルＲが次第に下がるといった事態が回避される。このような状態でランドセルＲを背負った場合、ランドセルが斜め上方に引っ張られた状態になり、ランドセルＲの重心が背中から離れにくくなる。これにより、背当て部１が背中に密着した状態に保たれ重く感ずることがなく疲れも少なくなり、良好な使用感が得られる。
【００３８】
一方、製作され出来上がったランドセルＲを厚紙製の包装箱Ｂに箱詰めして梱包する場合、図１２に示すように各連結環２３が後方向へは自在に回動することから、両背負いバンド５，５も何ら無用な力が働くことなく容易に折り曲げでき、両背負いバンド５，５をカバー部４の表面に密着するように沿わせて配置できる。よって、包装箱ＢにランドセルＲを箱詰めしても、各背負いバンド５が蓋ｂに支えるようなことなく容易に収納でき、箱詰めが何ら支障なく行なえる。すなわち、その分包装箱Ｂを小さくでき取り扱い易くなる。
【００３９】
各実施の形態では、各アーム部材１２，３１が取付具本体８に左右方向へ揺動自在に取着されると共に常には捩りバネ１７により互いに中央部側へ寄るように付勢されているので、学童の体格に合わせて各アーム部材１２，３１を左右にそれぞれ移動させることができ、使用感の向上に寄与する。
【図面の簡単な説明】
【００４０】
【図１】本発明が適用されるランドセルの斜視図。
【図２】同ランドセルの要部の分解斜視図。
【図３】連結環の取付方法を示す取付具の一部の正面断面図。
【図４】（イ）は取付具の正面断面図、（ロ）は同作用を示す正面断面図。
【図５】図４（イ）のＸ−Ｘ線拡大断面図。
【図６】取付具の背面図。
【図７】作用を示すランドセルの側面図。
【図８】ランドセルの他の実施の形態に係る要部の分解斜視図。
【図９】連結環の取付方法を示す他の実施の形態に係る取付具の一部の正面断面図。
【図１０】ランドセルの他の実施の形態に係る要部の分解斜視図。
【図１１】他の実施の形態に係る取付具の正面断面図。
【図１２】同梱包方法を説明する取付具を使用したランドセルの側面図。
【符号の説明】
【００４１】
１                背当て部
５                背負いバンド
５ｃ              連結部
１２              アーム部材
１３ａ            軸挿通孔
１３ｂ            軸挿通孔
２３              連結環
２３ａ            側杆部
２３ｂ            側杆部
２３ｃ            上杆部
２４ａ            第一軸杆部
２４ｂ            第一軸杆部
２５ａ            第二軸杆部
２５ｂ            第二軸杆部
２６              突部
２７              リベット
２８              連結環
３１              アーム部材
３４              第一補強部材
３６              第二補強部材
Ａ                取付具
Ａ１              取付具
Ａ２              取付具
Ｒ                ランドセル
【図１】
2006158654.tif 000003
【図２】
2006158654.tif 000004
【図３】
2006158654.tif 000005
【図４】
2006158654.tif 000006
【図５】
2006158654.tif 000007
【図６】
2006158654.tif 000008
【図７】
2006158654.tif 000009
【図８】
2006158654.tif 000010
【図９】
2006158654.tif 000011
【図１０】
2006158654.tif 000012
【図１１】
2006158654.tif 000013
【図１２】
2006158654.tif 000014